(57)【特許請求の範囲】
【請求項１】
地板と、
レンズを保持し、前記地板に対して光軸と直交する方向に移動可能な保持部材と、
前記地板に配置されている長円状もしくは長方形状の一対のコイルと、
前記保持部材に、前記一対のコイルと光軸方向に対向するように、配置されている一対のマグネットと、
第１の光量調節部材を駆動する第１の駆動部と、
第２の駆動部が設けられている光量制御ユニットと、を備え、
前記一対のコイルは、一方のコイルの長軸もしくは長辺方向に延びる第１の延長線と他方のコイルの長軸もしくは長辺方向に延びる第２の延長線とが交差するように、前記地板に配置されており、
前記第１の駆動部は、前記地板上の前記第１の延長線と前記第２の延長線とが交差する領域に配置されており、
前記第２の駆動部は、前記地板に向かって突出した状態で前記光量制御ユニットに設けられており、
前記光量制御ユニットが前記地板と同軸に配置される際に、前記第２の駆動部は、前記地板上の前記第１の延長線と前記第２の延長線とが交差しない領域に位置することを特徴とするレンズ鏡筒。
【請求項２】
第２の光量調節部材を駆動し、前記地板に配置されている第３の駆動部と、をさらに備え、
前記第３の駆動部は、前記地板上の前記第１の延長線と前記第２の延長線とが交差しない領域に配置されており、
前記光量制御ユニットが前記地板と同軸に配置される際に、前記第２の駆動部は、前記第３の駆動部に隣接して配置されることを特徴とする請求項１に記載のレンズ鏡筒。
【請求項３】
前記第１の光量調節部材は、ＮＤフィルタであり、前記第２の光量調節部材は、シャッタ羽根であり、前記光量制御ユニットは、絞りユニットであることを特徴とする請求項２に記載のレンズ鏡筒。
【請求項４】
レンズ鏡筒が搭載される撮像装置であって、
前記レンズ鏡筒として、請求項１乃至３のいずれか１項に記載のレンズ鏡筒が搭載されることを特徴とする撮像装置。
【発明の詳細な説明】
【技術分野】
【０００１】
本発明は、デジタルカメラ等の撮像装置に搭載される、特に像ブレ補正機構を備えるレンズ鏡筒、及びレンズ鏡筒を備える撮像装置に関する。
【背景技術】
【０００２】
デジタルカメラ等の撮像装置では、撮影時の手振れを検出し、その検出結果に応じて補正レンズを光軸と直交する方向に変位させて像ブレを補正する像ブレ補正機構を備えるものがある。
【０００３】
ところで、デジタルカメラ等で静止画を撮影する際に必要となるシャッタ機構のシャッタ羽根は、レンズ鏡筒の大型化を避けるために、撮影光束の絞られた位置に配置される。また、像ブレ補正機構の補正レンズの重量が重いと、補正レンズを駆動する駆動部が大型化するため、補正レンズについても、できるだけ撮影光束が絞られた位置に配置されることになる。
【０００４】
したがって、シャッタ羽根の位置と補正レンズの位置とは、近接した位置関係になり、結果的にシャッタ羽根の駆動部と補正レンズの駆動部も近接した位置関係になる。また、レンズ鏡筒の小型化のためには、光量調節のための絞りやＮＤフィルタ（減光フィルタ）等も撮影光束が絞られた位置に配置することが望ましい。
【０００５】
従来、像ブレ補正機構を保持するホルダにシャッタ機構を保持させる技術が提案されている（特許文献１）。また、像ブレ補正機構の駆動部、シャッタ機構の駆動部、ＮＤフィルタの駆動部を同一の地板に配置した技術が提案されている（特許文献２）。
【先行技術文献】
【特許文献】
【０００６】
【特許文献１】特開平１１−３０５２８０号公報
【特許文献２】特開２００７−２１９３３８号公報
【発明の概要】
【発明が解決しようとする課題】
【０００７】
しかし、上記特許文献１では、像ブレ補正機構の地板とシャッタ機構の地板とが独立しており、像ブレ補正機構の駆動部とシャッタ機構の駆動部とが径方向外側に突出しているので、光軸方向の厚さが厚くなり、レンズ鏡筒の小型化を妨げる原因になる。
【０００８】
また、上記特許文献２では、地板上に像ブレ補正機構の駆動部、シャッタ機構の駆動部、及びＮＤフィルタの駆動部に加えて、さらに絞り駆動機構の駆動部を配置しようとすると、スペースの確保が困難である。
【０００９】
そこで、本発明は、レンズの外周側に配置される複数の駆動部を配置するスペース効率を向上させて、レンズ鏡筒を小型化することを目的とする。
【課題を解決するための手段】
【００１０】
上記目的を達成するために、本発明のレンズ鏡筒は、地板と、レンズを保持し、前記地板に対して光軸と直交する方向に移動可能な保持部材と、前記地板に配置されている長円状もしくは長方形状の一対のコイルと、前記保持部材に、前記一対のコイルと光軸方向に対向するように、配置されている一対のマグネットと、第１の光量調節部材を駆動する第１の駆動部と、第２の駆動部が設けられている光量制御ユニットと、を備え、前記一対のコイルは、一方のコイルの長軸もしくは長辺方向に延びる第１の延長線と他方のコイルの長軸もしくは長辺方向に延びる第２の延長線とが交差するように、前記地板に配置されており、前記第１の駆動部は、前記地板上の前記第１の延長線と前記第２の延長線とが交差する領域に配置されており、前記第２の駆動部は、前記地板に向かって突出した状態で前記光量制御ユニットに設けられており、前記光量制御ユニットが前記地板と同軸に配置される際に、前記第２の駆動部は、前記地板上の前記第１の延長線と前記第２の延長線とが交差しない領域に位置することを特徴とする。
【発明の効果】
【００１１】
本発明によれば、レンズの外周側に配置される複数の駆動部を配置するスペース効率を向上させて、レンズ鏡筒を小型化することができる。
【図面の簡単な説明】
【００１２】
【図１】本発明のレンズ鏡筒を備える撮像装置の実施形態の一例であるデジタルカメラを正面側から見た外観斜視図である。
【図２】図１を背面側から見た図である。
【図３】デジタルカメラの制御系を示すブロック図である。
【図４】レンズ鏡筒に搭載される像ブレ補正機構を光軸方向から見た図である。
【図５】図４の側面図である。
【図６】地板と絞りと絞り駆動部との関係を示す斜視図である。
【図７】図４の背面図である。の構成の要部を示すブロック図である。
【発明を実施するための形態】
【００１３】
以下、本発明の実施形態の一例を図面を参照して説明する。
【００１４】
図１は本発明のレンズ鏡筒を備える撮像装置の実施形態の一例であるデジタルカメラを正面側から見た外観斜視図、図２は図１を背面側から見た図である。
【００１５】
図１に示すように、本実施形態のデジタルカメラ１５は、正面に、被写体の構図を決めるファインダ１６、測光測距を行う際の補助光源１４、ストロボ１７、及びレンズ鏡筒１８が配置されている。レンズ鏡筒１８は、撮影位置と収納位置との間を光軸方向に移動して撮影倍率を変更するズーム式とされている。
【００１６】
また、デジタルカメラ１５の上面には、レリーズボタン１１、電源切換えボタン１３、及びズームスイッチ１２が配置されている。デジタルカメラ１５の背面には、図２に示すように、操作ボタン２１〜２６、ＬＣＤ等のディスプレイ２０、及びファインダ接眼部１９が配置されている。
【００１７】
図３は、本実施形態のデジタルカメラ１５の制御系を示すブロック図である。
【００１８】
バス３８には、ＣＰＵ４０、ＲＯＭ３９、ＲＡＭ４１、レリーズボタン１１、操作ボタン２１〜３６、ディスプレイ２０、電源切換えボタン１３、ズームスイッチ１２、メモリ３４、圧縮伸張部３５、メモリカードドライブ３６、及び駆動回路３７が接続される。
【００１９】
駆動回路３７には、レンズ鏡筒１８をズーム駆動するズーム駆動部２７、フォーカスレンズ２８を駆動するフォーカス駆動部２９、シャッタユニット８を駆動するシャッタ駆動部３、絞り１０を駆動する絞り駆動部６が接続される。
【００２０】
また、駆動回路３７には、ＮＤフィルタ９を駆動するＮＤ駆動部５、補正レンズ１を駆動する補正レンズ駆動部２ａ，２ｂ，７ａ，７ｂ、ＣＣＤセンサやＣＭＯＳセンサ等の撮像素子３０、及びストロボ１７が接続される。駆動回路３７に接続された各ユニットは、ＣＰＵ４０からの信号に基づいて該駆動回路３７を介して駆動が制御される。
【００２１】
ＲＯＭ３９には、各種制御プログラム等が記憶され、ＲＡＭ４１には、各種制御プログラムに必要なデータが記憶されている。アナログ信号処理部３１は、撮像素子３０から出力された画像データにアナログ処理を施し、Ａ／Ｄ変換部３２に出力する。
【００２２】
Ａ／Ｄ変換部３２は、撮像素子３０から取り込んだアナログデータをデジタルデータに変換して、デジタル信号処理部３３に出力する。デジタル信号処理部３３は、Ａ／Ｄ変換部３２で変換されたデジタルデータに対して所定の処理を行い、画像データとしてメモリ３４に出力する。
【００２３】
メモリ３４に記憶された画像データは、圧縮伸張部３５によりＪＰＥＧやＴＩＦＦ等の圧縮処理等が施された後、メモリカードドライブ３６に装着されたメモリーカードに出力されて記憶される。
【００２４】
また、メモリ３４に記憶された画像データやメモリカードドライブ３６に記憶された画像データを圧縮伸張部３５によって伸張処理を行い、その後、バス３８を介してディスプレイ２０に表示させることができる。ディスプレイ２０に表示された画像をユーザが見て不要と判断した場合は、操作ボタン２４の操作によって画像を消去することができる。
【００２５】
図４はレンズ鏡筒１８に搭載される像ブレ補正機構を光軸方向から見た図、図５は図４の側面図、図６は地板４と絞り１０と絞り駆動部６との関係を示す斜視図、図７は図４の背面図である。
【００２６】
図４及び図５に示すように、像ブレ補正機構は、地板４に対して補正レンズ１を保持す保持部材２が光軸と直交方向へ移動可能に設けられる。地板４には、長円状の一対のコイル７ａ，７ｂが周方向に互いに略９０°離間して設けられている。なお、コイル７ａ，７ｂは一例として長円状としているが、他の形態として、長方形状であっても良い。
【００２７】
また、保持部材２の補正レンズ１の外周側において、一対のコイル７ａ，７ｂに光軸方向に対向する位置には、一対のマグネット２ａ，２ｂが設けられている。ここで、マグネット２ａ，２ｂ及びコイル７ａ，７ｂにより、補正レンズ１を駆動する補正レンズ駆動部を構成している。
【００２８】
そして、コイル７ａ，７ｂに通電することで磁界が生じ、マグネット２ａには図４の左右方向、マグネット２ｂには図４の上下方向の駆動力が発生し、結果として、補正レンズ１が保持部材２を介して光軸と直交する方向へ移動することになる。
【００２９】
ここで、図４を参照して、一対のコイル７ａ，７ｂは、一方のコイル７ａの長軸方向に延びる線Ｘと他方のコイル７ｂの長軸方向に延びる線Ｙとが補正レンズ１の外周側の地板４の面上で交差するように配置される。そして、この交差面にＮＤフィルタ９を駆動するＮＤ駆動部５が配置される。なお、この長軸方向は、コイル７ａ，７ｂが長方形状の場合は長辺方向となる。
【００３０】
地板４のＮＤ駆動部５が設けられた面以外の面上には、シャッタユニット８を駆動するシャッタ駆動部３、及び絞り１０を駆動する絞り駆動部６が補正レンズ１の外周側に位置して配置される。ここで、ＮＤフィルタ９、シャッタユニット８及び絞り１０は、本発明の複数の光量調節部材の一例に相当する。
【００３１】
また、ＮＤ駆動部５、シャッタ駆動部３、絞り駆動部６、及びコイル７ａ，７ｂは、光軸と直交する方向の略同一平面上に配置されている。これにより、地板４の外形部から駆動部３，５，６が突出することなく、また、光軸方向の厚さも薄くすることができる。
【００３２】
なお、本実施形態では、絞り駆動部６は、図６に示すように、絞り１０から光軸方向に突出した状態で絞り１０と一体に設けられている。そして、地板４に対して絞り１０が同軸配置された際に、補正レンズ１の外周側で絞り駆動部６がシャッタ駆動部３に隣接した位置に配置されるが、絞り駆動部６を地板４に一体に固定してもよい。
【００３３】
そして、図７に示すように、シャッタ駆動部３によりシャッタユニット８のシャッタ羽根８ａ，８ｂを開閉動作させることで、撮影光束の入射時間を管理し、ＮＤ駆動部５によりＮＤフィルタ９を開閉動作させることで、撮影光束の輝度を変更することができる。
【００３４】
以上説明したように、本実施形態では、コイル７ａの長軸方向に延びる線Ｘとコイル７ｂの長軸方向に延びる線Ｙとが補正レンズ１の外周側の地板４の面上で交差するようにコイル７ａ，７ｂを配置し、この交差面にＮＤ駆動部５を配置している。
【００３５】
これにより、補正レンズ１の外周側における地板４の複数の光量調節部材の駆動部を配置するスペース効率を向上させることができる。この結果、従来より多い数の光量調節部材の駆動部を地板４の面上に配置することができ、レンズ鏡筒１８の小型化を実現することができる。
【００３６】
なお、本発明の構成は、上記実施形態に例示したものに限定されるものではなく、材質、形状、寸法、形態、数、配置箇所等は、本発明の要旨を逸脱しない範囲において適宜変更可能である。
【００３７】
例えば、上記実施形態では、複数の光量調節部材として、ＮＤフィルタ９、シャッタユニット８及び絞り１０を例示したが、これに限定されず、また、光量調節部材の数についても限定されない。
【００３８】
また、上記実施形態では、コイル７ａの長軸方向に延びる線Ｘとコイル７ｂの長軸方向に延びる線Ｙとが交差する地板４の面上にＮＤ駆動部５を配置したが、これに限定されず、シャッタ駆動部３や絞り駆動部６等を配置してもよい。
【符号の説明】
【００３９】
１  補正レンズ
２  保持部材
２ａ，２ｂ  マグネット
３  シャッタ駆動部
４  地板
５  ＮＤ駆動部
６  絞り駆動部
７ａ，７ｂ  コイル
８  シャッタ機構
９  ＮＤフィルタ
１０  絞り
【図１】
0005822552.tif 000002
【図２】
0005822552.tif 000003
【図３】
0005822552.tif 000004
【図４】
0005822552.tif 000005
【図５】
0005822552.tif 000006
【図６】
0005822552.tif 000007
【図７】
0005822552.tif 000008